(57)【要約】【課題】  乳幼児が這い這いをする際、足からズレて脱げることを防止し、また、床面上等を這い這いした際に滑り止め効果のある乳幼児用靴下を提供する。【解決手段】  這い這いを始めた乳幼児が着用する乳幼児用靴下１であって、本体部２、開口部３、滑止材４から構成され、該滑止材４が、着用時に足甲部を覆う編成面の全部又は一部、例えば、舟状骨近傍の内表面、或いは内表面と外表面の両方にシート状に設けてなる。該滑止材４は、ウレタン樹脂、シリコン樹脂又はアクリル樹脂等の合成樹脂素材等からなり、乳幼児にとって履き心地が悪くならないよう可及的に薄く形成される。【選択図】図１
2010126864.tif 000002
【特許請求の範囲】
【請求項１】
這い這いを始めた乳幼児が着用する靴下であって、着用時に足甲部を覆う編成面の全部又は一部の内表面、或いは内表面と外表面の両方に滑止材を設けてなることを特徴とする乳幼児用靴下。
【請求項２】
前記足甲部を覆う編成面の一部が、舟状骨近傍を覆う編成面であることを特徴とする請求項１に記載の乳幼児用靴下。
【発明の詳細な説明】
【技術分野】
【０００１】
本発明は、這い這いを始めた乳幼児が着用する乳幼児用靴下に関する。
【背景技術】
【０００２】
従来、足の保護や保温効果を目的とした乳幼児用の靴下は、乳幼児が着用して歩行すると床面等で滑って怪我をする等、乳幼児が歩行する際の安全性に問題があった。このような問題に対処すべく提案された乳幼児用靴下としては、以下のものがある。
【０００３】
例えば、靴下の足を入れる開口部の裏地部分にシリコン素材を周設することにより、着用した靴下が足からズレ落ちることを防止でき、また、足裏部分に複数のシリコン素材を点在させて着設することにより、乳幼児が着用して歩行した際、床面上等で滑って転倒することを防止することのできる靴下が提案されている（特許文献１）。
【０００４】
また、靴下底面の親指部、拇指丘部、該拇指丘部の側方部分及び踵部に滑り止め材を施すことにより、乳幼児が該靴下を着用して歩行した際に、床面に該滑り止め材が接触して滑りを生じさせることのない乳幼児用靴下が提案されている（特許文献２）。
【特許文献１】特開２００６−２４９６４１号公報
【特許文献２】実開平０３−０８１３０２号公報
【発明の開示】
【発明が解決しようとする課題】
【０００５】
しかしながら、特許文献１に記載の靴下は、足裏部分にシリコン素材を設けたことにより、乳幼児が歩行する際に滑り止め効果を奏することができるものの、靴下を着用して這い這いをする場合においては、靴下の足裏側ではなく足甲部側の編成面が床面等と接触するため、乳幼児が這い這いをする際の滑り止め効果を期待することはできない。
【０００６】
また、開口部の裏地にシリコン素材を周設することにより、乳幼児が歩行する際の靴下のズレ落ちを抑制することができるものの、靴下を着用した乳幼児が這い這いをして足を前へ出す際、靴下の足甲部、特に舟状骨近傍の編成面が床面等と擦れて爪先方向へと引っ張られるので、歩行時のズレ落ちを抑制するにすぎない開口部の緊締力では、靴下が爪先方向へとズレてしまうおそれがある。よって、特許文献１に記載の靴下では、乳幼児が這い這いをして足を前へ出す際、靴下が爪先方向へと引っ張られてズレて脱げてしまうのを防止することは困難であると考えられる。
【０００７】
また、特許文献２に記載の乳幼児用靴下は、靴下の足裏部や踵部に滑り止め材が施されており、乳幼児が靴下を着用して歩行する際に、床面等で滑って転倒するのを防止することができるものの、乳幼児が靴下を着用して這い這いをすると、靴下の足甲部の編成面が床面等との間で滑ってしまって上手く這い這いをすることができず、滑った時に床面等に膝を強く打ち付けて怪我をするおそれもある。また、這い這い時に乳幼児が足を前に出す際、靴下の足甲部の編成面が床面等と擦れて、靴下が爪先方向へと引っ張られてズレてしまうおそれもある。
【０００８】
そこで、本発明は、乳幼児が這い這いをする際の靴下のズレや床面上等での滑りを防止することのできる乳幼児用靴下を提供することを課題とする。
【課題を解決するための手段】
【０００９】
上記課題を解決するために、本発明は次のように構成した。すなわち、本発明に係る請求項１に記載の乳幼児用靴下は、這い這いを始めた乳幼児が着用する靴下であって、着用時に足甲部を覆う編成面の全部又は一部の内表面、或いは内表面と外表面の両方に滑止材を設けてなることを特徴としている。
【００１０】
また、請求項２に記載の乳幼児用靴下は、前記足甲部を覆う編成面の一部が、舟状骨近傍を覆う編成面であることを特徴としている。
【発明の効果】
【００１１】
本発明の乳幼児用靴下を着用すれば、乳幼児が這い這いをする際に、該靴下の足甲部の内表面に設けた滑止材が皮膚面に圧着することにより、該靴下がズレて脱げるのを防止することができ、また、外表面に設けた滑止材が床面等に接触することにより、床面上等での滑りを防止することができる。
【発明を実施するための最良の形態】
【００１２】
まず、本発明に係る第一の実施例について、図１及び図２に基づき具体的に説明する。図１は、本発明に係る乳幼児用靴下１を正面から見た図である。ここで、符号１は本発明に係る乳幼児用靴下を示し、２は本体部、３は開口部、４は滑止材を示す。
【００１３】
本発明に係る乳幼児用靴下１は、本体部２、開口部３及び滑止材４から構成され、本体部２及び開口部３は、通常市販されている靴下と同様の糸及び編成方法で編み込まれ、開口部３は本体部２よりも伸縮力が強い。
【００１４】
滑止材４は、足甲部を覆う編成面の内表面に設けられる。ここで、内表面とは、着用者の皮膚と接触する乳幼児用靴下１の裏側面のことであり、逆に外表面とは、着用時に外部に露出する乳幼児用靴下１の表側面のことである。なお、図１において、外部から内表面を視認することはできないので、滑止材４が設けられる範囲を破線にて示す。滑止材４としては、ウレタン樹脂、シリコン樹脂又はアクリル樹脂等の合成樹脂素材等を使用し、薄いシート状に形成して足甲部編成面の内表面全域に縫合される。また、該内表面に貼付してもよく、滑り止め塗料等を使用して該内表面に塗布してもよい。
【００１５】
また、滑止材４は、足甲部を覆う編成面内の内表面であれば水玉状に点在させてもよいし、滑止材４を複数本の線状に形成して並設させてもよく、該内表面にバランスよく配置されればどのような構成であってもよい。
【００１６】
図２は、滑止材４が設けられた本体部２編成面の拡大断面図である。シート状に形成された滑止材４は、本体部２編成面の内表面、すなわち乳幼児の足甲部の皮膚面側に設けられる。また、滑止材４は、可及的に薄く形成され、乳幼児にとって履き心地が悪くならない程度に該内表面に設けられる。なお、滑止材４として滑り止め塗料を塗布すれば、本体部２と同程度の厚みで滑止材４を設けることができる。
【００１７】
このような乳幼児用靴下１を着用して乳幼児が這い這いをすると、足甲部の皮膚面と床面等との間に挟まれる滑止材４が、乳幼児の重みにより乳幼児の皮膚面に圧着した状態となる。そのため、乳幼児が足を前へ出す際、乳幼児用靴下１は、皮膚面に圧着した状態をしばらくの間維持するため、爪先方向へと引っ張られずに適正着用位置からズレて脱げてしまうことを防止することができる。
【００１８】
次に、第二の実施例について、図３及び図４に基づき説明する。図３は、本発明に係る乳幼児用靴下１を正面から見た図である。該乳幼児用靴下１は、本体部２、開口部３及び滑止材４から構成され、本体部２及び開口部３は、通常市販されている靴下と同様の糸及び編成方法で編み込まれ、開口部３は本体部２よりも伸縮力が強い。
【００１９】
滑止材４は、足甲部の内踝側、舟状骨近傍を覆う編成面の内表面に設けられる。なお、図３及び図４においても、外部から内表面を視認することはできないので、滑止材４が設けられる範囲を破線にて示す。乳幼児用靴下１の舟状骨近傍を覆う編成面の内表面に設けられた滑止材４は、乳幼児が這い這いをすると乳幼児の舟状骨近傍と床面等との間に挟まって、乳幼児の重みにより皮膚面に圧着した状態になる。そのため、乳幼児が足を前へ出した際、乳幼児用靴下１が爪先方向へと引っ張られないので、適性着用位置からズレて脱げてしまうことを防止することができる。滑止材４が設けられる舟状骨近傍の編成面は、乳幼児が這い這いをする際において最も床面等との接触機会が多い部位であるため、少なくとも該編成面に滑止材４を構成すれば、乳幼児用靴下１のズレを防止することができる。
【００２０】
図４は、第二の実施例の乳幼児用靴下１の使用状態を示す図である。乳幼児が乳幼児用靴下１を着用すると、乳幼児の舟状骨近傍の皮膚面に滑止材４が接触した状態となる。そして、乳幼児が這い這いすると、滑止材４が舟状骨近傍の皮膚面と床面等との間で挟まれる格好となる。このように、該滑止材４が皮膚面と床面等との間で圧着された状態になると、乳幼児が足を前に出した際に、滑止材４が舟状骨近傍の皮膚面に圧着した状態をしばらくの間維持するため、爪先方向へと引っ張られるのを抑制することができ、乳幼児用靴下１のズレを防止することができる。
【００２１】
また、図示はしないが、第一の実施例の乳幼児用靴下１を着用した場合には、足甲部の編成面全体に滑止材４が設けられていることから、若干履き心地は良くないものの、乳幼児用靴下１のズレをより防止することができる。
【００２２】
次に、第三の実施例について、具体的に説明する（図示せず）。該乳幼児用靴下１は、足甲部を覆う編成面の全部に設けられる滑止材４が内表面だけでなく、外表面にも設けられる。外表面の滑止材４は、ウレタン樹脂、シリコン樹脂又はアクリル樹脂等の合成樹脂素材等を使用し、薄いシート状に形成されて足甲部を覆う編成面の内表面に縫合されるが、該内表面に貼付してもよく、また、滑り止め塗料等を使用し、足甲部を覆う編成面の内表面に塗布してもよい。また、該編成面の一部、特に舟状骨近傍を覆う編成面の内表面及び外表面に滑止材を設けてもよい。
【００２３】
外表面の滑止材４は、足甲部を覆う編成面内の内表面であれば水玉状に点在させてもよいし、線状の滑止材を並設させてもよく、該内表面にバランスよく配置されればどのような構成であってもよい。
【００２４】
このように構成した乳幼児用靴下１を着用すると、内表面の滑止材４によって、這い這いをする乳幼児が足を前に出した際、乳幼児用靴下１が爪先方向へと引っ張られてズレるのを防止することができ、また、外表面の滑止材４によって、乳幼児が床面上等で滑って這い這いの妨げになることを防止することができる。
【産業上の利用可能性】
【００２５】
本発明に係る上記各乳幼児用靴下１は、乳幼児が這い這いをする場合に着用できるだけでなく、外出時の足の保護や保温を目的として着用することもできる。
【図面の簡単な説明】
【００２６】
【図１】本発明に係る乳幼児用靴下を示す斜視図である。
【図２】該乳幼児用靴下を示す拡大断面図である。
【図３】該乳幼児用靴下を示す斜視図である。
【図４】該乳幼児用靴下の使用状態を示す図である。
【符号の説明】
【００２７】
１    乳幼児用靴下
２    本体部
３    足首部
４    滑止材
【図１】
2010126864.tif 000003
【図２】
2010126864.tif 000004
【図３】
2010126864.tif 000005
【図４】
2010126864.tif 000006